(57)【要約】【課題】  かご操作盤前面の操作面を常に乗客の方向へ向けることにより、一般の利用者が使い易いようにしたエレベータ用かご操作盤を得る。【解決手段】  かご室の壁面４に取り付けられ、エレベータの乗客によって操作されるものにおいて、かご操作盤５前面の操作パネル６に設けられ、乗客の顔又は手指等の位置を検出する人体検出センサー１０と、この人体検出センサーにより乗客の顔又は手指等を検出すると、その検出した方向に向かってかご操作盤５の操作面を動かす駆動機構とを備える。【選択図】      図１
2005060087.tif 000002
【特許請求の範囲】
【請求項１】
かご室の壁面に取り付けられ、エレベータの乗客によって操作されるエレベータ用かご操作盤において、かご操作盤前面の操作パネルに設けられ、乗客の顔又は手指等の位置を検出する人体検出センサーと、この人体検出センサーにより乗客の顔又は手指等を検出すると、その検出した方向に向かってかご操作盤の操作面を動かす駆動機構とを備えたことを特徴とするエレベータ用かご操作盤。
【請求項２】
かご操作盤の操作面に設けられるかご呼び登録ボタンがテンキーボタンであることを特徴とする請求項１記載のエレベータ用かご操作盤。
【請求項３】
かご操作盤の操作面に、乗客に対し操作手順又は停止階を案内するメッセージを順次表示するメッセージ表示部を設けたことを特徴とする請求項２記載のエレベータ用かご操作盤。    
【請求項４】
メッセージ表示部は、操作手順又は停止階を案内するメッセージとともに、登録された数字又は階床を表示することを特徴とする請求項３記載のエレベータ用かご操作盤。
【発明の詳細な説明】
【技術分野】
【０００１】
この発明は、かご操作盤前面の操作面を乗客の方向へ向けるようにしたエレベータ用かご操作盤に関するものである。
【背景技術】
【０００２】
従来のエレベータ用かご操作盤においては、乗客の操作位置に応じて、操作盤の高さを自由に移動調整できるようにしたもの（例えば、特許文献１参照）、或いは収納位置と突出位置との間でスライド自在に操作盤を設けたもの（例えば、特許文献２参照）がある。
【０００３】
【特許文献１】特開平７−２８５７４７号公報
【特許文献２】特開平９−２５５２６５号公報
【発明の開示】
【発明が解決しようとする課題】
【０００４】
上記従来のエレベータ用かご操作盤は、いずれも車椅子用のかご操作盤を対象にしたものであり、一般用のかご操作盤を対象にしたものではなかった。また、操作盤は上下方向又は収納位置と突出位置との間の水平方向にしか移動できないものであるから、一般の利用者には使い勝手が悪いものであった。  
【０００５】
この発明は、上述のような課題を解決するためになされたもので、その目的は、かご操作盤前面の操作面を常に乗客の方向へ向けることにより、一般の利用者が使い易いようにしたエレベータ用かご操作盤を提供するものである。
【課題を解決するための手段】
【０００６】
この発明に係るエレベータ用かご操作盤は、かご室の壁面に取り付けられ、エレベータの乗客によって操作されるものにおいて、かご操作盤前面の操作パネルに設けられ、乗客の顔又は手指等の位置を検出する人体検出センサーと、この人体検出センサーにより乗客の顔又は手指等を検出すると、その検出した方向に向かってかご操作盤の操作面を動かす駆動機構とを備えたものである。
【発明の効果】
【０００７】
この発明は、かご操作盤前面の操作パネルに設けられ、乗客の顔又は手指等の位置を検出する人体検出センサーと、この人体検出センサーにより乗客の顔又は手指等を検出すると、その検出した方向に向かってかご操作盤の操作面を動かす駆動機構とを備えたので、かご操作盤前面の操作面を常に乗客の方向へ向けることができ、一般の利用者にも使い勝手が良いものとなる。
【発明を実施するための最良の形態】
【０００８】
実施の形態１．
図１はこの発明の実施の形態１におけるエレベータ用かご操作盤を示すかご室の斜視図、図２はこの発明の実施の形態１におけるエレベータ用かご操作盤を示すかご室の側面図、図３同じく平面図、図４はこの発明の実施の形態１におけるエレベータ用かご操作盤を示す拡大正面図である。  
図において、エレベータのかご室は、かご室の床１、かごの戸２、かご室の天井３、及びかご室の壁４等から構成されている。かご室の壁４には、かご操作盤５が取り付けられている。かご操作盤５はその前面に壁４面と平行なフラット面から成る操作パネル６を有している。この操作パネル６には、テンキーボタン７、アナウンス用スピーカー８、メッセージ表示部９、乗客（操作者）の顔又は手指等の位置を検出する人体検出センサー１０等がそれぞれ設けられている。かご操作盤５は背面が半球状に構成されており、壁４に対しあらゆる方向に向くことができるように駆動機構（図示せず）を介して取り付けられている。従って、人体検出センサー１０が乗客の顔や手指等を検出した場合、その検出した方向へ向かって駆動機構を操作することにより、かご操作盤５を動かして操作パネル６面の角度を追従変更させることができる。なお、かご室の壁４の上部には現在階表示部１１が設けられている。
【０００９】
このように構成されたエレベータ用操作盤においては、乗客の顔の位置を人体検出センサー１０で認識して、図５Ａ及び図５Ｂに示すように、かご操作盤５を駆動機構により乗客の顔の方向へ動かし、また、乗客の手指の位置を認識して、図６Ａ及び図６Ｂに示すように、かご操作盤５を駆動機構により乗客の手指の方向へ動かす。
【００１０】
人体検出センサー１０が人を感知すると、図７Ａに示すように、乗客に対しテンキーボタン７による「行き先階を押してください」等のメッセージをメッセージ表示部９に表示するとともに、アナウンス用スピーカー８からも知らせる。テンキーボタン７による行き先階登録が行われると、図７Ｂに示すように、「行き先階を登録しました」等のメッセージ及び登録された数字がメッセージ表示部９に表示されるとともに、アナウンス用スピーカー８からも知らされる。その後、図７Ｃに示すように、停止階を案内するメッセージ及び停止階床を知らせる停止階表示画面がメッセージ表示部９に表示される。
【図面の簡単な説明】
【００１１】
【図１】この発明の実施の形態１におけるエレベータ用かご操作盤を示すかご室の斜視図である。かご操作盤表示器を示す分解斜視図である。
【図２】この発明の実施の形態１におけるエレベータ用かご操作盤を示すかご室の側面図である。
【図３】この発明の実施の形態１におけるエレベータ用かご操作盤を示すかご室の平面図である。
【図４】この発明の実施の形態１におけるエレベータ用かご操作盤を示す拡大正面図である。
【図５】この発明の実施の形態１におけるエレベータ用かご操作盤により乗客の顔の位置を人体検出センサーで認識する様子を示す概略図である。
【図６】この発明の実施の形態１におけるエレベータ用かご操作盤により乗客の手指の位置を人体検出センサーで認識する様子を示す概略図である。
【図７】この発明の実施の形態１におけるエレベータ用かご操作盤の操作手順を示す拡大正面図である。
【符号の説明】
【００１２】
１  かご室の床
２  かごの戸
３  かご室の天井
４  かご室の壁
５  かご操作盤
６  操作パネル
７  テンキーボタン
８  アナウンス用スピーカー
９  メッセージ表示部
１０  人体検出センサー    
１１  現在階表示部
【図１】
2005060087.tif 000003
【図２】
2005060087.tif 000004
【図３】
2005060087.tif 000005
【図４】
2005060087.tif 000006
【図５】
2005060087.tif 000007
【図６】
2005060087.tif 000008
【図７】
2005060087.tif 000009